(57)【特許請求の範囲】
【請求項１】
有線回線に接続された交換機と、該交換機に接続され基地局ゾーン内を移動する携帯端末との無線交信をする第１のアンテナを有する送受信増幅部と該送受信増幅部の動作を監視制御する監視制御部とを含む送受信増幅装置と、前記交換機と前記送受信増幅装置の動作を監視制御する監視制御装置とが備えられた基地局装置の遠隔監視制御方式であって、
前記送受信増幅装置に第２のアンテナを有するリモート監視用携帯端末が設けられ、該リモート監視用携帯端末の第２のアンテナと前記送受信増幅部の第１のアンテナとが無線回線で接続されるように構成され、
前記監視制御部の監視制御データが前記リモート監視用携帯端末に与えられ前記無線回線を介して前記送受信増幅部と前記交換機を経由して前記有線回線に送出されるように構成された基地局装置の遠隔監視制御方式。
【発明の詳細な説明】
【０００１】
【発明の属する技術分野】
本発明は、移動体通信システムにおける基地局装置の遠隔監視制御方式に関するものである。
【０００２】
【従来の技術】
移動体通信システムは年々利用頻度が増え、それにともない信頼性に対する要求が高まってきており、万が一、無人の基地局装置の主要部をなす送受信増幅装置に故障が生じた場合には、いち早く故障状態をとらえ、回復させることが望まれている。基地局装置として設備された送受信増幅装置の故障の種類としては、例えば、送信出力レベルの低下等の特性劣化や、装置の電源電圧の低下、冷却ファンの回転数低下のため装置内の温度が上昇して規定範囲を超えて装置全体がダウン寸前となること等が挙げられる。
【０００３】
このような故障状態を障害情報としてとらえ、送受信増幅装置を遠隔地より監視，制御するシステムが構築されている。すなわち、送受信増幅装置の障害情報を専用通信回線を利用して収集することにより、故障状態を遠隔地で検出し、この障害情報をもとに故障した送受信増幅装置に専用通信回線を利用して装置を初期状態から再起動させる（リセットする）ための制御情報や、安全を考慮し電源供給を停止させる等の制御情報（コマンド）を送り遠隔制御することにより、予備装置に切り替えるなどして障害を一早く回復させることが図られてきた。
【０００４】
図３は従来の基地局装置の概要を示すブロック図である。図において、１は基地局装置の主要部をなす送受信増幅装置であり、送受信増幅部１１とアンテナ１２及び監視制御部１３を含んでいる。２は変復調装置を含む交換機、３は交換機２が制御局（図示せず）を介して電話網に接続される有線回線、４は監視制御装置、５はこの基地局のゾーン内を移動する携帯端末、６は無線回線、７はモデム、８は遠隔監視制御用の専用回線である。
【０００５】
公衆網の加入者又は他の移動局から有線回線３を介して送られてくる通話信号は、交換機２を経由して送受信増幅部１１で増幅され、アンテナ１２から無線回線６を介して携帯端末５に伝えられる。携帯端末５からの送信信号はこの逆の系路で回線３に送出される。
【０００６】
監視制御装置４は、変復調装置を含む交換機２の動作を監視，制御し、監視制御部１３に接続されている。監視制御部１３は、送受信増幅装置１の全体の動作と、特に、送受信増幅部１１の動作状態を監視するとともに、監視データを監視制御信号専用の変復調器（モデム）７を介して専用回線８に送出する。この監視データは、例えば、有人の中央監視局からのポーリング方式の問い合わせに対して送出される。
【０００７】
【発明が解決しようとする課題】
しかしながら、上記従来の基地局装置の遠隔監視制御方式では、図３に示すように、送受信増幅装置１を直接遠隔監視，制御するために、専用のモデム７を介して専用回線８で中央監視局に接続されているので、専用回線が必要であるという問題がある。また、送受信増幅装置１の電源系に異常が発生したときは、装置の動作が停止状態となるため異常内容を中央監視局に通報することができず、故障修理に時間がかかってユーザに迷惑がかかるという問題がある。
【０００８】
本発明は、上記従来の問題点を解消するために行ったものであり、遠隔監視のための専用回線を必要とせず、かつ、電源系の異常が発生しても対応することのできる基地局装置の遠隔監視制御方式を提供することを目的とする。
【０００９】
【課題を解決するための手段】
本発明の基地局装置の遠隔監視制御方式は、有線回線に接続された交換機と、該交換機に接続され基地局ゾーン内を移動する携帯端末との無線交信をする第１のアンテナを有する送受信増幅部と該送受信増幅部の動作を監視制御する監視制御部とを含む送受信増幅装置と、前記交換機と前記送受信増幅装置の動作を監視制御する監視制御装置とが備えられた基地局装置の遠隔監視制御方式であって、前記送受信増幅装置に第２のアンテナを有するリモート監視用携帯端末が設けられ、該リモート監視用携帯端末の第２のアンテナと前記送受信増幅部の第１のアンテナとが無線回線で接続されるように構成され、
前記監視制御部の監視制御データが前記リモート監視用携帯端末に与えられ前記無線回線を介して前記送受信増幅部と前記交換機を経由して前記有線回線に送出されるように構成されたことを特徴とするものである。
【００１０】
すなわち、本発明は基地局にリモート監視用携帯端末を搭載することにより、新たに監視用の専用回線を設けることなく、送受信増幅装置を監視，制御可能とする。またリモート監視用携帯端末に電池（バッテリ）を搭載することにより、基地局の送受信増幅装置の電源が異常になった場合でも、異常状態等を監視し、制御可能となる。さらに、複数のリモート監視用携帯端末（例えば、ＰＤＣ（パーソナル・ディジタル・セルラ）システム用，ＣＤＭＡシステム用端末等）を送受信増幅装置に内蔵することにより、当該基地局装置に障害があった場合にも、隣接する他の基地局の交換機，送受信増幅装置を介し、障害情報を報知，制御することができることを特徴とするものである。
【００１１】
【作用】
遠方監視のための専用回線を新たに設けることなく、送受信増幅装置を直接遠隔監視，制御することができる。また、送受信増幅装置の電源装置に異常が発生した場合には、障害のあった当該基地局に隣接する他の基地局を介して障害情報が送られ、その内容に応じて制御ができるためシステムの迅速な障害復帰対応が可能となる。
【００１２】
【発明の実施の形態】
以下、本発明について図面を参照して説明する。図１は本発明の実施例を示すブロック図であり、２つの無線基地局Ａ，Ｂの場合を示す。
図１において、１は送受信増幅装置、２は変復調装置を含む交換機、３は制御局を介して電話網に接続される有線回線、４は監視制御装置、５は携帯端末である。送受信増幅装置１には、送受信増幅部１１，アンテナ１２，監視制御部１３，及びアンテナ１５を有するリモート（遠隔）監視用携帯端末１４が備えられている。無線基地局ＡとＢは同じ構成である。
【００１３】
図２は図１のリモート監視用携帯端末１４の詳細回路構成例を示すブロック図である。図２において、リモート監視用携帯端末１４は、キー入力部１４１、表示部１４２、音声入出力等、他マンマシーンインタフェース部１４３、通信インタフェース部１４４、データ処理部１４５、変復調部１４６、無線送受信部１４７、電源部１４８、バッテリ１４９により構成されている。
【００１４】
図１の無線基地局Ａにおいて、回線３を介し交換機（変復調装置を含む）２を経て送受信増幅装置１に入力される通話信号は送受信増幅部１１で増幅され、アンテナ１２から無線区間６を介し基地局ゾーン内を移動する携帯端末５へ送出される。携帯端末５から送出される無線信号は、逆の系路をたどり、送受信増幅装置１及び交換機２を介して有線回線３へ送出される。無線基地局Ｂについても同様の信号の流れである。
【００１５】
また、監視制御装置４は交換機２及び送受信増幅装置１を監視，制御する。送受信増幅装置１は監視制御部１３によって監視，制御される。
【００１６】
送受信増幅装置１には、リモート監視用携帯端末１４が内蔵されており、送受信増幅装置１の障害情報などの状態を読み取り、アンテナ１５から無線区間９を介してアンテナ１２に伝送する。そして、障害情報は、送受信増幅部１１及び交換機（変復調装置含む）２を経由して有線回線３へ送出される。
また、有線回線３からの制御信号は、逆のルートをたどり、交換機２を経て送受信装置１の送受信増幅部１１のアンテナ１２から無線区間９を介し、送受信増幅装置１内蔵のリモート監視用携帯端末１４のアンテナ１５で受けて監視制御部１３へ伝送され、送受信増幅装置１を制御する。
【００１７】
上記のリモート監視用携帯端末１４の内部の動作は、図２において、送受信増幅装置１内の監視制御部１３から送受信増幅装置１の障害情報などの状態を通信インタフェース１４４を介して受信し、データ処理部１４５、変復調部１４６、及び無線送受信部１４７を介し、アンテナ１５から無線区間９へ送出される。一報、無線区間９から入ってきた制御情報は、逆に、無線送受信部１４７、変復調部１４６、データ処理部１４５及び通信インタフェース１４４を介して送受信増幅装置１内の監視制御部１３に入力され、送受信増幅装置１を制御する。
【００１８】
本発明で用いるリモート監視用携帯端末１４は、特別に新たに製作しなくてもよく、現在実用されている携帯電話、ＰＤＣ等の携帯端末のハードウェア構成を利用することができ、送受信増幅装置１を監視するソフトウェアをそれらに組み込むことにより実現することができる。
【００１９】
ここで、リモート監視用携帯端末１４用に既製品の端末を利用する場合、キー入力部１４１、表示部１４２、音声入出力等、他マンマシーンインタフェース部１４３は本発明に必要不可欠なものではないが利用しやすいという利点がある。
【００２０】
以上のとおり、本発明では、従来の監視制御装置４とは別に送受信増幅装置１にリモート監視用携帯端末１４を設けることにより、従来の専用回線８のような遠方監視用の専用回線を新たに設けることなく、現在接続されている有線回線３のみのまま無線回線によって遠隔監視，制御することが可能となる。
【００２１】
さらに、本発明では、有線回線３と送受信増幅装置１の間の区間が故障した場合には、リモート監視用端末１４はアンテナ１５から無線区間１０を介し、隣接する基地局Ｂのアンテナ１２を経て送受信増幅装置１、交換機２及び有線回線３を通して監視制御情報を送受信することが可能である。
【００２２】
さらに、図２に示したように、リモート監視用携帯端末１４にバッテリ１４９を内蔵させることにより、送受信増幅装置１の電源に異常があった場合でも、バッテリ駆動により、監視制御情報を送受信することができる。
【００２３】
また、システムの異なる（例えば、ＰＤＣ（パーソナルディジタルセルラ），ＣＤＭＡ等）複数のリモート監視用携帯端末１４を搭載することにより、一つのシステムに障害があった場合にも、隣接する基地局Ｂの交換機２、送受信増幅装置１が別の移動無線システムであれば、別の無線区間１０を介して監視制御情報を送受信できる。
【００２４】
リモート監視用携帯端末１４を制御するアプリケーションプログラムとしては、最初から組み込んであるものとは別に、ＪＡＶＡアプレットとしてリモートにプログラムを組み込み制御することもできる。
【００２５】
【発明の効果】
以上、詳細に説明したように、本発明によれば、新たに遠隔監視制御のための専用回線を設けることなく、送受信増幅装置を直接遠隔監視，制御することができる。また、送受信増幅装置の電源装置が異常のとき、あるいは障害の発生した方式以外の方式でも、障害内容を報知し、制御可能となることで、システムの迅速な障害対応が可能となるなど実用上の効果が大きい。
【図面の簡単な説明】
【図１】本発明の実施例を示すブロック図である。
【図２】本発明の要部をなすリモート監視用携帯端末１４の詳細ブロック図である。
【図３】従来の基地局装置のブロック図である。
【符号の説明】
１  送受信増幅装置
２  交換機（変復調装置含む）
３，８  有線回線
４  監視制御装置
５  携帯端末
１１  送受信増幅部
１２  アンテナ
１３  監視制御部
１４  リモート監視用携帯端末
６，９，１０  無線区間
７  モデム
１４１  キー入力部
１４２  表示部
１４３  音声入出力等、他マンマシーンインタフェース部
１４４  通信インタフェース部
１４５  データ処理部
１４６  変復調部
１４７  無線送受信部
１４８  電源部
１４９  バッテリ
【図１】
0004490004.tif 000002
【図２】
0004490004.tif 000003
【図３】
0004490004.tif 000004